(57)【要約】【課題】光源としての複数の発光素子を通常点灯モード又は補助点灯モードに選択的に切換えることが可能であり、違和感を生じることなく、また、基板の大形化を抑制することが可能な照明器具を提供する。【解決手段】本発明は、複数の発光素子６１と、この複数の発光素子６１が実装された基板６２とを備えた光源部６と、前記複数の発光素子６１を点灯する通常点灯モード又は前記複数の発光素子６１のうち、一部を点灯する補助点灯モードに選択的に切換え可能なモード切換手段２９とを備える照明器具である。【選択図】図９
2012059573.tif 000002
【特許請求の範囲】
【請求項１】
複数の発光素子と、この複数の発光素子が実装された基板とを備えた光源部と；
前記複数の発光素子を点灯する通常点灯モード又は前記複数の発光素子のうち、一部を点灯する補助点灯モードに選択的に切換え可能なモード切換手段と；
を具備することを特徴とする照明器具。
【請求項２】
前記複数の発光素子が実装された基板には、電気的補助部品が実装されていることを特徴とする請求項１に記載の照明器具。
【発明の詳細な説明】
【技術分野】
【０００１】
本発明の実施形態は、光源としてＬＥＤ等の発光素子を用いた照明器具に関する。
【背景技術】
【０００２】
従来、一般住宅用の照明器具においては、主光源に環状の蛍光ランプを用い、常夜灯として主光源とは別に、常夜灯に適する光出力の比較的小さな小形の電球が用いられている。
【０００３】
一方、近時、ＬＥＤ等の発光素子の高出力化、高効率化及び普及化に伴い、光源として発光素子を用いて長寿命化が期待できる照明器具が開発されている。光源として発光素子を用いる場合、その点灯が放電現象によるものではないため深調光による点灯が容易に実現できる。
【０００４】
そのため、光源として発光素子を用いる照明器具においては、別の光源を設けることなく、発光素子の点灯を深調光することによって光出力を小さくし、常夜灯の機能を持たせることが考えられる。
【先行技術文献】
【特許文献】
【０００５】
【特許文献１】特開２００５−１４２１３７号公報
【発明の概要】
【発明が解決しようとする課題】
【０００６】
しかしながら、上記のように発光素子の点灯を深調光することによって、常夜灯の機能を持たせる場合、従来の点状の光源とは異なり、その発光部は面状となるため、常夜灯としての点灯状態において発光部が面状に光り違和感を生じることとなる。また、主光源としての発光素子とは別に、常夜灯としての発光素子を設けることも考えられるが、その分、発光素子の数が多くなり、発光素子が実装される基板も大形化する可能性がある。
【０００７】
本発明は、上記課題に鑑みなされたもので、光源としての複数の発光素子を通常点灯モード又は補助点灯モードに選択的に切換えることが可能であり、違和感を生じることなく、また、基板の大形化を抑制することが可能な照明器具を提供することを目的とする。
【課題を解決するための手段】
【０００８】
本発明の実施形態による照明器具は、複数の発光素子と、この複数の発光素子が実装された基板とを備えた光源部を有している。また、前記複数の発光素子を点灯する通常点灯モード又は前記複数の発光素子のうち、一部を点灯する補助点灯モードに選択的に切換え可能なモード切換手段を備えている。
【発明の効果】
【０００９】
本発明の実施形態によれば、光源としての複数の発光素子を通常点灯モード又は補助点灯モードに選択的に切換えることが可能であり、違和感を生じることなく、また、基板の大形化を抑制することが可能な照明器具を提供することができる。
【図面の簡単な説明】
【００１０】
【図１】本発明の第１の実施形態に係る照明器具を示す斜視図である。
【図２】同照明器具を分解して示す斜視図である。
【図３】同器具本体を背面側から見て示す斜視図である。
【図４】同器具本体を前面側から見て示す平面図である。
【図５】同器具本体における導光板と基板の配置関係を示しており、特定の基板を取り出して示す平面図である。
【図６】図３中、Ｘ−Ｘ線に沿って示す断面図である。
【図７】図６中、Ａ部を示す拡大図である。
【図８】図６中、Ｂ部を示す拡大図である。
【図９】同照明器具のブロック構成図である。
【図１０】同照明器具の天井面への取付状態を示す断面図である。
【図１１】同じく、照明器具の天井面への取付状態を示す断面図である。
【図１２】本発明の第２の実施形態に係る照明器具を示す図６に相当する断面図である。
【図１３】同器具本体を前面側から見て示す平面図である。
【発明を実施するための形態】
【００１１】
以下、本発明の第１の実施形態について図１乃至図１１を参照して説明する。各図においてリード線等による配線接続関係は省略して示している。なお、同一部分には同一符号を付し、重複した説明は省略する。
【００１２】
本実施形態の照明器具は、器具取付面に設置された引掛けシーリングボディに取付けられて使用される形式であり、導光板を用いて例えば、室内の照明を行うものである。
【００１３】
図１乃至図４において、照明器具は、器具本体１と、器具取付面としての天井面Ｃに設置された引掛けシーリングボディＣｂに電気的かつ機械的に接続されるアダプタＡ（図２及び併せて図１０参照）と、赤外線リモコン送信器Ｒとを備えている。器具本体１は、図１に示すように略正方形状の外観に形成され、前面側を光の照射面とし、背面側を天井面Ｃへの取付面としている。
【００１４】
図２に代表して示すように、器具本体１は、点灯装置２と、反射板３と、シャーシ４と、アダプタガイド５と、光源部６と、導光板７と、補助部品ユニット８と、本体枠９と、カバー部材１０とを備えている。これら構成要素について順次説明する。
【００１５】
点灯装置２は、図７の参照を加えて説明するように、熱伝導性を有するアルミニウム等の金属製のケース２１と、このケース２１に取付けられて収容された回路基板２２と、この回路基板２２に実装された回路部品２３とを備えている。ケース２１は、略直方体形状の薄型の箱状に形成されていて、一長辺側と一短辺側には、当該辺に沿って外方に延出する鍔状の接続部２１ａが形成されている。また、一長辺側と対向する長辺側には、取付舌片２１ｂが延出して形成されている。
【００１６】
回路基板２２は、ガラスエポキシ樹脂等の絶縁材料からなり、略長方形の板状に形成されて、表面側には、制御用ＩＣ、コンデンサ、巻線部品、抵抗素子等の回路部品２３が実装されている。また、回路基板２２は、図示上、表面側を下側にして樹脂製固定具２２ａによってケース２１に取付けられている。
【００１７】
以上のような点灯装置２は、アダプタＡ側が電気的に接続されて、アダプタＡを介して商用交流電源に接続される。したがって、点灯装置２は、この交流電源を受けて直流出力を生成し、リード線を介してその直流出力を発光素子６１に供給し、発光素子６１を点灯制御するようになっている。この点灯装置２は、反射板３の背面側に位置して取付けられている（主として図３参照）。
【００１８】
反射板３は、放熱部材を兼用しているもので、放熱部材として機能する。反射板３は、熱伝導性を有するアルミニウム等の金属材料から略正方形状に形成されており、正方形状の浅皿状の凹部３１を有し、この凹部３１の各辺には外側に延出する取付片３２が形成されている。また、凹部３１の前面側は、反射面として構成されており、さらに、略中央部には、四角形状の開口３３が形成されている。
【００１９】
シャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口５２が形成されている。したがって、シャーシ４は、全体としては高さの低い略筒状をなしている。当接部４１は、導光板７の背面側に当接される部分であり、開口４２は、アダプタＡが挿通される部分である。そして、図７に示すように、シャーシ４の当接部４１の上面側に、反射板３における開口３３の周辺部が重合されるように配置され、こられが溶接等によって固着されている。なお、シャーシ４の当接部４１は、導光板７を補強する機能を有している。
【００２０】
アダプタガイド５は、図７の参照を加えて示すように、略八角柱状に形成されていて、中央部にアダプタＡが挿通し、係合する係合口５１が設けられており、下端側に外方へ向かう鍔部５２が形成されている。このアダプタガイド５は、その外周面がシャーシ４の内周面に接するように配設され取付けられている。
【００２１】
光源部６は、図２、図５、図６及び図８に示すように、光源である発光素子６１が実装された基板６２と、この基板６２が取付けられる取付部材としての取付板６３とから構成されている。なお、図５は、導光板７と基板６２との配置関係を示し、また、特定の基板６２Ａを取り出して示している。
【００２２】
基板６２は、横長の長方形状に形成されていて、絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２３】
発光素子６１は、ＬＥＤであり、表面実装型のＬＥＤパッケージである。このＬＥＤパッケージが基板６２の長手方向に沿って直線状に並べられて複数個、具体的には１５個実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２４】
なお、後述するように特定の基板６２Ａに実装された複数の発光素子６１のうち、一部の発光素子６１Ａは、補助光源として用いられるようになっている（図５参照）。具体的には、特定の基板６２Ａに実装された複数の発光素子６１のうち、基板６２Ａの端部側に位置する２個の発光素子６１Ａが補助光源、すなわち、常夜灯として用いられるようになっている。
【００２５】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２６】
なお、ＬＥＤは、ＬＥＤチップを直接基板６２に実装するようにしてもよく、また、砲弾型のＬＥＤを実装するようにしてもよく、実装方式や形式は、格別限定されるものではない。
【００２７】
取付板６３は、アルミニウムや亜鉛めっき鋼板等の熱伝導が良好な材料から作られており、横長で側面が略Ｃ型チャンネル形状に形成されている。この取付板６３の内側壁には、２枚の基板６２が、ねじ止め等によって、その裏面側が密着するように長手方向に並べられて取付けられている。したがって、光源部６は、一つの取付板６３に２枚の基板６２が取付けられてユニット化されている。
本実施形態では、主として図２に示すように、このユニット化された光源部６が４個用いられており、導光板７の各辺に対応して配設されるようになっている。
【００２８】
導光板７は、アクリル樹脂等の透過率の高い材料を用いて四角形状の平板状に形成され、背面側には光を拡散する多数の白色の反射ドットからなるドットパターンが印刷によって形成されている。さらに、導光板７の略中央部には、アダプタガイド５の外形と対応し、また、アダプタＡと対応するように略八角形の開口７１が形成されている。この略八角形の開口７１は、原型的には、四角形の角部を面取りした形状として形成されている。また、この導光板７の外周部である四角形状の各辺、すなわち、側端面は、発光素子６１から出射される光が入射して導光板７内を進行する光入射端面７２として機能するようになっている。そして、導光板７は、前面側に面状の発光領域を有する発光部として構成される。
なお、導光板７には、背面側に反射シートを設けたものや前面側に拡散シートを設けたものを適宜適用できる。
【００２９】
補助部品ユニット８は、図８に示すように、横長箱状のケース８１内にユニット基板８２及びこの基板８２に実装された複数の電気的補助部品を備えて構成されている。本実施形態における電気的補助部品は、赤外線リモコン信号受信部８４や照度センサ８５等である。
【００３０】
この補助部品ユニット８は、照明器具、すなわち、器具本体１の外周縁部、具体的には、本体枠９の一辺側に配設される。したがって、導光板７の発光領域の外側に配設されるようになっている。
【００３１】
このように構成された補助部品ユニット８は、複数の電気的補助部品が集中化して設けられていて、本体枠９に形成された開口部に嵌合され、ケースカバー８１ｂのフランジ８１ｂ１が係止されて、図示しない固定手段によって本体枠９に取付けられる。
【００３２】
本体枠９は、ＡＢＳ樹脂やポリカーボネート等の合成樹脂から作られていて、略正方形状であって前記導光板７の寸法より大きな枠状に形成されており、側壁９１と、この側壁９１の下端部から内側に向かって延出し、斜めに立ち上がる傾斜状部を有する底壁９２とを備えている。また、底壁９２には、複数のボス９３が立設されており、このボス９３には、反射板３の取付片３２がねじ止めされるようになっている。また、前述のように、正方形状の一辺に対応する底壁９２には、補助部品ユニット８が嵌合する開口部が形成されている。
【００３３】
カバー部材１０は、アクリル樹脂やポリカーボネート等の乳白色を呈する合成樹脂材料から略正方形状に形成されており、図示しない係脱手段によってアダプタガイド５に着脱自在に取付けられるようになっている。したがって、カバー部材１０が取付けられることによって、アダプタＡは覆われて下方から視認しにくくすることができる。
【００３４】
アダプタＡは、図２及び図１０に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００３５】
赤外線リモコン送信器Ｒは、例えば、周波数３８ｋＨｚのパルス状の特定のコード化された赤外線リモコン制御信号を送信するもので、例えば、通常点灯モード用ボタン（主光源点灯ボタン）、補助点灯モード用ボタン（常夜灯ボタン）、消灯ボタン等が設けられている。このリモコン送信器Ｒを補助部品ユニット８、すなわち、赤外線リモコン信号受信部８４に向けて操作することによって光源部６における発光素子６１の発光状態、つまり、通常点灯モード、補助点灯モード、消灯等に切換えて制御を行うことができる。
【００３６】
次に、図９を参照して本実施形態に係る照明器具のブロック構成について説明する。図に示すように、概略的には、点灯装置２と、発光素子６１が実装された基板６２と、赤外線リモコン信号受信部８４が実装されたユニット基板８２とから構成されている。
【００３７】
点灯装置２は、直流電源として機能するもので、商用交流電源ＡＣに接続されており、この交流電源ＡＣを受けて直流出力を生成するものである。商用交流電源ＡＣは、全波整流回路２４の入力端子に接続されており、この全波整流回路２４の出力端子間に平滑コンデンサ２５が接続されている。平滑コンデンサ２５に代えて昇圧チョッパを主として構成するような力率改善回路を用いてもよい。そして、この平滑コンデンサ２５に直流電圧変換回路２６及び電流検出手段２７が接続されている。この直流電源は、出力電流を定電流化するため、電流検出手段２７での検出結果に応じて電流制御信号を直流電圧変換回路２６にフィードバックする制御機能を有している。
【００３８】
直流電圧変換回路２６としては、降圧チョッパ、昇圧チョッパ、ＤＣ−ＤＣコンバータ等によって構成することができ、この場合、上記フィードバック制御によりチョッパ等のスイッチング素子のオン期間やオン・オフ周波数を制御することによって定電流化を図ることができる。
【００３９】
また、直流電圧変換回路２６には、点灯回路制御部２８を介してユニット基板８２が接続されており、モード切換手段２９を介してその出力端子間に基板６２、すなわち、複数の発光素子６１が直列に接続された例えば、２つの直列回路が並列に接続されている。したがって、前述のユニット化された４個の光源部６のうちで、隣接する光源部６における複数の発光素子６１が直列に接続されて１つの直列回路を構成している。
【００４０】
さらに、これら複数の発光素子６１のうち、特定の発光素子６１Ａは、補助光源、すなわち、常夜灯として用いられるようになっている。具体的には、例えば、特定の２個の発光素子６１Ａは、常夜灯として主光源と兼用して用いられるようになっている。そして、この特定の２個の発光素子６１Ａの一端側には、モード切換手段２９が接続されるようになっている。
なお、ユニット基板８２には、リモコン制御回路８２ａ、赤外線リモコン信号受信部８４、照度センサ８５等が設けられている。
【００４１】
このような構成において、例えば、赤外線リモコン送信器Ｒを操作して通常点灯モード用ボタンを選択すると、コード化された赤外線リモコン制御信号が赤外線リモコン信号受信部８４で受信され、その信号がリモコン制御回路８２ａ、点灯回路制御部２８を通じてモード切換手段２９に送信される。このモード切換手段２９では、通常点灯モードが選択されたと判断され、全部の発光素子６１が点灯状態となるように動作する。つまり、複数の発光素子６１が直列に接続された２つの直列回路に電力を供給するように機能する。
【００４２】
また、赤外線リモコン送信器Ｒを操作して補助点灯モード用ボタンを選択すると、前記と同様に、その信号がリモコン制御回路８２ａ、点灯回路制御部２８を通じてモード切換手段２９に送信される。このモード切換手段２９では、補助点灯モードが選択されたと判断され、特定の発光素子６１Ａ、つまり、特定の２個の発光素子６１Ａのみを選択し、これのみに電力を供給するように機能する。
【００４３】
以上のように、モード切換手段２９を設けることにより、通常点灯モード又は補助点灯モードに選択的に切換えて使用することが可能となる。また、この場合、補助点灯モードでは、複数の発光素子６１のうちの一部が選択されて電力が供給されることとなる。なお、通常点灯モードにおいて、所定の調光比で調光できるようにしてもよい。
【００４４】
上記のような照明器具の構成において、図７に代表して示すように、シャーシ４の当接部４１は、導光板７の背面側に当接されている。より詳しくは、シャーシ４の当接部４１は、導光板７の背面側であって開口７１の周囲に配設され当接されるようになっている。なお、シャーシ４の当接部４１の導光板７の背面側への当接は、直接的に行われても間接的に行われてもよい。
【００４５】
図３、図６及び図８に示すように、放熱部材としての反射板３は、導光板７の背面側に配置され、本体枠９の複数のボス９３にねじ止めされて取付けられている。
【００４６】
また、導光板７における開口７１の前面側の周縁部は、アダプタガイド５の下端側の鍔部５２に支持されている。さらに、図８に代表して示すように、導光板７の前面側の外周縁部は、本体枠９における底壁９２の傾斜状部に支持されている。一方、前記のように導光板７の背面側には、反射板３が配設されており、導光板７は、反射板３と、前記アダプタガイド５の鍔部５２及び本体枠９の底壁９２の傾斜状部とによって挟持されるように配置されている。この状態においては、導光板７の光入射端面７２は、発光素子６１と対向して位置し、発光素子６１から出射される光が入射するようになっている。
【００４７】
図１、図４及び図６に示すように補助部品ユニット８は、発光部としての導光板７の発光領域外であって外周縁部に配設されるようになっている。したがって、この補助部品ユニット８、つまり、補助部品が導光板７上に暗部を形成するようなことを回避できる。また、補助部品ユニット８には、赤外線リモコン信号受信部８４等の複数の電気的補助部品が集中化して設けられているので、配線処理や組立作業の効率化が可能となる。さらに、外周縁部に配置されているので目立つことなく、デザイン性の向上が期待できる。
【００４８】
また、図３、図６及び図８に示すように、本体枠９の側壁９１と、反射板３の取付片３２との間には、間隙Ｇが形成されるようになっている。つまり、反射板３の外形は、枠状の本体枠９より小さく形成されていて、反射板３の全周にわたって間隙Ｇが形成されるようになっている。この間隙Ｇによって発光素子６１から発生する熱が取付板６３、反射板３の取付片３２を介して対流作用で放熱される。なお、この対流作用を促進するため、本体枠９の底壁９２に空気流通孔を形成するようにしてもよい。
【００４９】
次に、照明器具の天井面Ｃへの取付状態について、図１０及び図１１を参照して説明する。なお、各図においてアダプタＡから導出される電源コードの図示は省略している。
【００５０】
図１０に示すように、天井面Ｃに引掛けシーリングボディＣｂが設置されている。また、この引掛けシーリングボディＣｂには、アダプタＡが電気的かつ機械的に接続されている。この状態から図示矢印で示すように、器具本体１におけるアダプタガイド５の係合口５１をアダプタＡに合わせながら、アダプタＡの係止部２１がアダプタガイド５の係合口５１に確実に係合するまで器具本体１を下方から手で押し上げて取付け操作を行う。
【００５１】
図１１に示すように、器具本体１の取付状態では、アダプタＡがシャーシ４の開口５２を挿通し、アダプタＡの係止部Ａ1がアダプタガイド５の係合口５１に係止されて取付状態が保持される。
【００５２】
また、器具本体１を取外す場合には、カバー部材１０を取外し、アダプタＡに設けられているレバーを操作してアダプタＡの係止部Ａ1の係合を解くことにより取外すことができる。
【００５３】
照明器具の取付け状態において、点灯装置２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射されて均質化された光が前面側の発光領域から放射される。加えて、導光板７から漏れた一部の光は、反射板３によって反射され前面側に放射されて再利用されるようになる。
【００５４】
また、赤外線リモコン送信器Ｒを赤外線リモコン信号受信部８４に向けて操作することによって光源部６における発光素子６１の発光状態の制御を行うことができる。すなわち、図４及び図５に示すように、補助点灯モードでは、複数の発光素子６１のうちの特定の一部の発光素子６１Ａが点灯されるので、面状の発光部の全体が光ることなく、そして違和感を感じることなく常夜灯として機能することが可能となる。また、この場合、通常点灯モードにおいて点灯される複数の発光素子６１の一部を兼用して用いているので、補助光源としての発光素子６１を格別増加することもなく、基板６２の大形化を抑制できる。
【００５５】
発光素子６１の点灯中は熱が発生する。各発光素子６１から発生する熱は、基板６２裏面側から取付板６３に伝導され、さらに、取付板６３に伝導された熱は、放熱部材としての反射板３における取付片３２に伝導され、反射板３の広い面積で効果的に放熱される。また、加えて、前記熱は、取付片３２に接続された点灯装置２のケース２１における接続部２１ａに伝導され、ケース２１に伝わって放熱される。したがって、光源部６からの熱は、反射板３及びケース２１の両者に伝導され効率よく放熱される。これらの放熱により全体的に放熱効果が高まる。
【００５６】
なお、上記構成では、ユニット化された光源部６を４個用い、これを導光板７の各辺に対応して配設したものについて説明したが、例えば、光源部６を２個用い、これを隣接する二辺に対応して配設するようにしてもよい。さらに、光源部６を導光板７の一辺のみ又は対向する二辺に対応して配設するようにしてもよく、光源部６の配設形態は、特段限定されるものではない。適宜設計に応じて選択することができる。
【００５７】
以上のように本実施形態によれば、光源としての複数の発光素子６１を通常点灯モード又は補助点灯モードに選択的に切換えることが可能であり、違和感を生じることなく、また、基板の大形化を抑制することが可能な照明器具を提供することができる。
【００５８】
次に、本発明の第２の実施形態について図１２及び図１３を参照して説明する。なお、第１の実施形態と同一又は相当部分には同一符号を付し、重複した説明は省略する。
【００５９】
第１の実施形態では、発光素子６１から出射される光を発光部である導光板７を用いて照明を行う形式のものについて説明したが、本実施形態では、導光板７を用いることなく、基板６２に実装された発光素子６１から出射される光を、例えば、拡散性を有する乳白の透光性カバーＣｖを透過させて照明を行う形式のものである。
【００６０】
本実施形態の照明器具は、外観形状が略円形状に構成されている（図１３参照）。器具本体１の背面側には、光源として複数の発光素子６１を実装した略リング状の基板６２が配設されている。この基板６２の表面側には、複数の発光素子６１が放射状に実装されており、また、電気的補助部品として例えば、赤外線リモコン信号受信部８４が実装されている。つまり、同一基板６２に複数の発光素子６１と電気的補助部品が実装されている。
【００６１】
さらに、基板６２に実装された複数の発光素子６１のうち、中央部近傍に位置する２個の発光素子６１Ａが補助光源、すなわち、常夜灯として用いられるようになっている。
【００６２】
基板６２の前面側には、基板６２の表面側を覆うように透光性カバーＣｖが設けられている。したがって、発光素子６１から出射される光は、透光性カバーＣｖを通じて外部に放射され、透光性カバーＣｖは、所定の発光領域を有する面状の発光部として機能する。
【００６３】
このような構成において、例えば、赤外線リモコン送信器Ｒを操作して通常点灯モードが選択されると、全部の発光素子６１が点灯状態となるように動作し、面状の発光部から光が照射される。また、補助点灯モードが選択されると、特定の発光素子６１Ａ、つまり、特定の２個の発光素子６１Ａのみが点灯し、点状の光源の常夜灯として機能する。
【００６４】
以上のように本実施形態によれば、第１の実施形態と同様な効果に加え、電気的補助部品を複数の発光素子６１が実装された基板６２と同一基板に実装するようにしたので、電気的補助部品から導出されるリード線等を省略又はその配線長を短くすることが可能で、構成の簡素化を実現できる。
【００６５】
なお、上記第２の実施形態においては、補助点灯モードが選択されたとき、特定の発光素子６１Ａが点灯し常夜灯として機能する場合について説明したが、次のような実施形態によっても所期の目的を達成することができる。
【００６６】
例えば、発光部が調光できるようになっており、つまり、発光素子６１が調光点灯できるようになっており、一定の調光度までは、全部の発光素子６１が減光された状態で点灯する。そして、さらに連続的に調光度を深くしていくと、これに従い、外周部に配置された発光素子６１から中央部に配置された発光素子６１の方向に向かって、減光が伴って消灯されていく状態となる。
【００６７】
したがって、中央部方向に配置された発光素子６１、すなわち、複数の発光素子６１のうち、その一部を減光された状態で点灯することができ、この状態で常夜灯として機能させることが可能となる。この場合、全部の発光素子６１が点灯された状態から一部の発光素子６１が点灯する状態に動作させる手段がモード切換手段となる。
【００６８】
さらに、本発明は、上記各実施形態の構成に限定されることなく、発明の要旨を逸脱しない範囲で種々の変形が可能である。例えば、発光素子は、ＬＥＤや有機ＥＬ等の固体発光素子が適用できる。また、発光素子の個数は、特段限定されるものではない。
【符号の説明】
【００６９】
１・・・器具本体、２・・・点灯装置、３・・・反射板、５・・・アダプタガイド、
４・・・シャーシ、６・・・光源部、７・・・導光板、８・・・補助部品ユニット、
９・・・本体枠、１０・・・カバー部材、２９・・・モード切換手段、
６１・・・発光素子、６１Ａ・・・特定の発光素子（補助光源）、６２・・・基板、
７２・・・光入射端面、８４・・・赤外線リモコン信号受信部、
Ｒ・・・赤外線リモコン送信器
【図１】
2012059573.tif 000003
【図２】
2012059573.tif 000004
【図３】
2012059573.tif 000005
【図４】
2012059573.tif 000006
【図５】
2012059573.tif 000007
【図６】
2012059573.tif 000008
【図７】
2012059573.tif 000009
【図８】
2012059573.tif 000010
【図９】
2012059573.tif 000011
【図１０】
2012059573.tif 000012
【図１１】
2012059573.tif 000013
【図１２】
2012059573.tif 000014
【図１３】
2012059573.tif 000015